(57)【要約】【課題】表示パネル２２に外部から押圧力が加わった際に、表示パネル２２の変形を抑えて、表示素子の外圧に対する強度を向上させることができる電子機器を提供する。【解決手段】本発明の電子機器は、表示パネル２２を備えた電子機器であって、表示パネル２２表示面の反対面に対向し、表示パネル２２の表示面の反対面に対して略平行な保護板を備えたものである。【選択図】図１
2008203829.tif 000002
【特許請求の範囲】
【請求項１】
表示パネルを備えた電子機器であって、
前記表示パネルの表示面の反対面に対向し、前記表示パネルの表示面の反対面に対して略平行な保護板を備えた、電子機器。
【請求項２】
前記表示パネルの表示面の反対面に対向する支持部を、さらに備え、
前記保護板は、前記表示パネルよりも小さく、
前記支持部の先端は、前記保護板と略同一面内に配されている、請求項１記載の電子機器。
【請求項３】
前記表示パネルの表示面の反対面に対向する電気回路基板を、さらに備え、
前記支持部は、前記電気回路基板側から前記表示パネル側へ突出して配されている、請求項２記載の電子機器。
【請求項４】
前記表示パネルは、液晶表示パネルで構成され、
前記支持部は、前記液晶表示パネルの液晶注入口に対向する部位の近傍に配されている、請求項２記載の電子機器。
【請求項５】
前記保護板は、
導電材で形成され、
導電材で形成されたネジによって、導電材で形成された筐体に締結固定されている、請求項１記載の電子機器。
【請求項６】
撮像部と表示パネルとを備えた撮像装置であって、
前記撮像部と前記表示パネルとの間に配され、前記表示パネルの表示面の反対面に対向し、前記表示パネルの表示面の反対面と略平行な保護板を備えた、撮像装置。
【請求項７】
前記撮像部と前記保護板とをネジによって締結固定するフレームをさらに備え、
前記撮像部の前記ネジに対する孔部の内径と前記保護板の前記ネジに対する孔部の内径とは、前記ネジの雄ネジ部の外径よりも大きく形成されている、請求項６記載の撮像装置。
【発明の詳細な説明】
【技術分野】
【０００１】
本発明は、液晶パネルなどの表示素子を搭載した電子機器に関する。
【背景技術】
【０００２】
近年、デジタルスチルカメラなどの撮像装置には、撮影画像を確認することができる液晶モニタなどの表示素子が搭載されている。
【０００３】
図１６は、従来の撮像装置の分解斜視図である。図１６に示すように、従来の撮像装置は、本体ユニット１００と背面ユニット２００とから構成されている。本体ユニット１００には、レンズや撮像素子などがユニット化された撮像部１０１と、信号処理マイコンなどが実装されたプリント基板１０２とを備えている。また、撮像部１０１の裏面側には、板金１０１ａ、フレキシブルプリント基板１０１ｂ、ネジ１０１ｃ、プリント基板１０２が配されている。プリント基板１０２の内側には、バッテリー装着部や電源回路などから構成される電気回路ユニット（不図示）が配されている。
【０００４】
一方、背面ユニット２００は、撮像部１０１及びプリント基板１０２を覆うように本体ユニット１００に固定される。また、背面ユニット２００は、樹脂製の透明板で覆われた開口部２０１を備えている。また、背面ユニット２００の内面（撮像部１０１などに対向する面）には、画像を表示可能な液晶モニタ２０２を備え、液晶モニタ２０２の表示面は開口部２０１を介して外部から目視可能に配されている。
【０００５】
したがって、背面ユニット２００を本体ユニット１００に装着した時は、液晶モニタ２０２の表示面の裏面が、撮像部１０１及びプリント基板１０２に対向するように配置される。上記のような液晶モニタの配置構成が、例えば特許文献１に開示されている。
【特許文献１】特開２００４−２４８１０１号公報
【発明の開示】
【発明が解決しようとする課題】
【０００６】
しかしながら上記構成では、撮像部１０１の裏面には、撮像素子の板金１０１ａ、撮像部１０１とプリント基板１０２とを電気的に接続するフレキシブルプリント基板１０１ｂ、板金１０１ａをレンズフレームに固定するためのネジ１０１ｃなどが配されているため、多数の起伏がある。液晶モニタ２０２の裏面（本体ユニット１００に対向する面）はほぼ平面であるため、液晶モニタ２０２の裏面とレンズフレームの表面と間には、大きい隙間と小さい隙間とが生じる。このような構成において、液晶モニタ２０２の表示面（背面ユニット２００の外面）に対して外部から押圧力が加わった際に、液晶モニタ２０２が変形してしまう。特に、押圧力が液晶モニタ２０２の裏面とレンズフレームの表面との隙間が大きい部分に加わると、液晶モニタ２０２が大きく変形し、液晶モニタ２０２が破損してしまう可能性があるという問題がある。
【０００７】
本発明の目的は、表示素子の外圧に対する強度を向上させることができる電子機器を提供することである。
【課題を解決するための手段】
【０００８】
本発明の電子機器は、表示パネルを備えた電子機器であって、前記表示パネルの表示面の反対面に対向し、前記表示パネルの表示面の反対面に対して略平行な保護板を備えたものである。
【発明の効果】
【０００９】
本発明は、表示素子に外部から押圧力が加わった際に、表示素子の変形を抑えることができ、外圧に対する強度を向上させることができる。
【００１０】
また、保護板は表示パネル背面の前面を覆わず、一部を覆う構成とし、保護板で覆われない範囲に別途支持部を設ける構成としたことにより、保護板は大きさを小さくすることができ、保護板に併設された電気回路基板のサイズを大きく確保することができる。
【発明を実施するための最良の形態】
【００１１】
（実施の形態１）
本実施の形態では、本発明の電子機器の一例として、デジタルスチルカメラなどの撮像装置を挙げて説明する。
【００１２】
〔１．撮像装置の構成〕
図１は、撮像装置の外観構成を示す斜視図である。図２は、撮像装置の背面図であり、撮像装置において表示部が搭載されている面（以下、背面と記す）を示す。図３は、撮像装置の上面図であり、撮像装置においてレリーズボタンなどが配されている面（以下、上面と記す）を示す。
【００１３】
図１〜図３に示すように、撮像装置１は、撮像部２、レリーズスイッチ３、ズームスイッチ４、電源スイッチ５、ストロボ６、表示部７、カーソルキー８、ボタン９、ボタン１０、およびモードダイヤル１１を備えている。撮像部２とストロボ６は、撮像装置１の前面に配されている。また、レリーズスイッチ３とズームスイッチ４と電源スイッチ５は、撮像装置１の上面に配されている。また、表示部７とカーソルキー８とボタン９及び１０とモードダイヤル１１は、撮像装置１の背面に配されている。前面と背面とは互いに対向し、前面及び背面は上面に対して略直交する。
【００１４】
図１に示すように撮像部２は、フォーカスレンズやズームレンズなどから構成されるレンズ部と、レンズ部を通して入射される光学画像を撮像し電気信号（映像信号）を出力する撮像素子とを備えている。
【００１５】
レリーズスイッチ３は、撮影者によって押圧操作されることで、撮像素子で撮像されている電気信号を映像信号として取り込むことができる。
【００１６】
ズームスイッチ４は、レリーズスイッチ３に対して略同軸に配され、レリーズスイッチ３の周方向に回転自在に配されている。ズームスイッチ４を回転操作することで、撮像部２内のズームレンズを光軸方向へ移動させ、撮像素子に結像される光学画像の拡大または縮小を行うことができる。なお、ズーム動作は、ズームレンズを移動させる光学ズームに限らず、画像を信号処理で拡大または縮小する電子ズームも含まれる。
【００１７】
電源スイッチ５は、スライドスイッチで構成され、一方向へスライドさせると電源ＯＮ、他方向へスライドさせると電源ＯＦＦになるように操作することができる。
【００１８】
ストロボ６は、レリーズスイッチ３の動作と同時に閃光を発光することができる。ストロボ６の発光は、撮像装置１内における任意の設定によって、発光／非発光を切り換えることができる。
【００１９】
図２に示すように、表示部７（表示素子）は、撮像中の画像（スルー画像）、メニュー画面、電池残量や現在日時や撮影可能枚数などの各種情報などを表示することができる。本実施の形態では、表示部７は、液晶パネルで構成したが、有機ＥＬディスプレイ素子やその他の表示素子で構成してもよい。なお、撮像装置１に対する表示部７の固定方法については、後ほど詳しく説明する。また、表示部７と撮像部２は、撮像装置１において互いに対向した側面に配されている。
【００２０】
カーソルキー８は、上下左右方向に指示操作が可能であり、上下左右の各操作部には、所定の機能が割り当ててある。各操作部に割り当てられている機能は、例えば、ストロボ６の発光／非発光の切り替え、セルフタイマー機能のＯＮ／ＯＦＦの切り替え、ブラケット撮影の設定などである。また、表示部７にメニュー画面を表示させた時に、メニュー内に表示されているカーソルを所望の方向へ移動させるよう操作することもできる。
【００２１】
ボタン９は、カーソルキー８の中央に配置され、操作することで主に「決定」操作を行うことができる。
【００２２】
ボタン１０は、例えば表示部７に表示される前記各種情報の表示／非表示を切り替えることができたり、その他様々な機能を割り当てることができる。なお、本実施の形態では、ボタン１０は２個としているが、この個数に限定されない。
【００２３】
モードダイヤル１１は、撮像装置１の上面近傍に回転操作可能に配され、撮像装置１の機能を設定することができる。設定できる機能は、静止画を撮影可能な「通常撮影モード」、動きが速い被写体の撮影に適した「高速撮影モード」、被写体を近接撮影するのに適した「接写モード」、情報媒体に記録されている画像を表示部７に表示可能な「再生モード」などである。
【００２４】
また、撮像装置１は、主に上面カバー４１と、前面カバー４２（第２のカバー）と、背面カバー４３（第１のカバー）と、側面カバー４４とでケーシングされている。なお、一対の側面カバー４４のうち一方は、撮像装置１の側面とともに底面の一部を覆うような形状に形成されている。また、撮像装置１の底面には、バッテリー収納部を閉蓋するバッテリードア（不図示）が配されている。よって、撮像装置１の底面は、側面カバー４４の一部とバッテリードアとで覆われている。各カバーの組み立ての概要は、レンズ部と撮像素子と回路とを含むカメラユニット２５と電気回路ユニット２６とが結合されたユニットに対して、その上面に上面カバー４１を装着し、前面（対物レンズが配されている面）に前面カバー４２を装着し、背面（前面に対向する面）に背面カバー４３を装着し、左右両側面に側面カバー４４を装着する。組み立ての際、上面カバー４１と前面カバー４２と側面カバー４４とは、ネジ４５によって共締めされて固定される。
【００２５】
〔２．撮像装置１の内部構造〕
〔２−１．全体構成〕
図４は、撮像装置１の概略構造を示す分解斜視図である。なお、図４に示す各部品やユニットは、説明の便宜上、詳細に描画しておらず模式的に示している。
【００２６】
図４において、背面ユニット２１は、撮像装置１の背面を覆っている。また、背面ユニット２１は、カーソルキー８、ボタン９及び１０などが配されている。また、背面ユニット２１の主面には、透明板２１ｄが配された開口部２１ａが形成されている。開口部２１ａは、表示部７（または表示ユニット２２）の有効表示エリアとほぼ同等の開口面積を有している。
【００２７】
表示ユニット２２は、例えば液晶表示パネルで構成され、主面に表示エリア２２ａを備えている。また、表示パネルの外周縁には、ある程度の肉厚を有する弾性材２２ｂが固定されている。
【００２８】
保持枠２３は、例えば板金で構成され、少なくとも表示ユニット２２を内部に配置可能な収納部２３ａを備えている。
【００２９】
前面ユニット２４は、カメラユニット２５における対物レンズ側の面を覆うように配される前面カバー４２（第２のカバー）と、カメラユニット２５と、信号処理マイコンなどが実装されている電気回路ユニット２６とを備えている。カメラユニット２５は、主に前述した撮像部２を内蔵している。また、カメラユニット２５のレンズフレーム（不図示）の表面には、保護板２８が配されている。保護板２８は、レンズフレームの表面のほぼ全域を覆うように配されている。また、保護板２８は、その表面（保持枠２３に対向する面）が略平面になるように形成されている。電気回路ユニット２６は、プリント基板２６ａとバッテリー装着部２６ｂとを備えている。プリント基板２６ａは、信号処理マイコンなどが実装されている。また、プリント基板２６ａには、スイッチ２７が配されている。バッテリー装着部２６ｂは、金属製の略箱体状に形成され、リチウムイオン電池などの充電池を内部に挿脱させることができる。また、バッテリー装着部２６ｂは、金属製のネジによって撮像装置１に固定される。スイッチ２７は、カーソルキー８、ボタン９及び１０が使用者によって押圧操作されることにより、カーソルキー８、ボタン９及び１０の裏面によって押圧操作されるものである。すなわち、使用者がカーソルキー８、ボタン９及び１０を操作することで、各キーなどがスイッチ２７を押圧し、内部回路が駆動するような構造になっている。なお、前面ユニット２１の詳しい説明については後述する。
【００３０】
撮像装置１は、保持枠２３に保持された表示ユニット２２を、背面ユニット２１と前面ユニット２４とから構成されるケース内に収容される。収容後、表示ユニット２２の表示エリア２２ａは、背面ユニット２１の開口部２１ａと重なるように配置され、表示エリア２２ａに表示される映像や情報を、外部から目視することができる。
【００３１】
次に、図４に示す各ユニットの詳細な構成について説明する。
【００３２】
〔２−２．表示ユニット２２の構成〕
図５Ａは、表示ユニット２２の構成を示す平面図である。図５Ｂは、図５ＡにおけるＺ−Ｚ部分の断面図である。
【００３３】
図５Ａ及び図５Ｂに示すように、表示パネル２２ｄの主面の略中央には、映像や各種情報を表示可能な表示エリア２２ａが配されている。表示パネル２２ｄの外周縁には、映像などが表示できない非表示エリアが存在している。その非表示エリアには、弾性材２２ｂが配されている。弾性材２２ｂは、ある程度の肉厚を有し、弾性変形する材質で構成されている。
【００３４】
弾性材２２ｂは、表示ユニット２２が撮像装置１内に組み付けられた際に、表示パネル２２ｄと背面ユニット２１の内側とで挟持され圧縮される。これにより、表示エリア２２ａに埃などの異物が侵入するのを低減させている。また、弾性材２２ｂは、両面テープや接着剤などで表示パネル２２ｄに貼着されている。
【００３５】
また、表示パネル２２ｄの側端部には、他の電気回路と電気的に接続されるフレキシブル基板２２ｅが配されている。
【００３６】
また、表示パネル２２ｄの上下面には、それぞれ３カ所ずつダボ２２ｆが配されている。また、表示パネル２２ｄの側面にもダボ２２ｆが配されている。ダボ２２ｆは、後述する保持枠２３の孔部２２ｈに嵌合されることによって、表示ユニット２２を保持枠２３に保持させることができる。
【００３７】
また、表示パネル２２ｄの外周縁における少なくとも１カ所には、液晶を注入するための注入口２２ｋが形成されている。液晶パネルは、注入口２２ｋを介して２枚のガラス基板の間に液晶が注入され、注入後に注入口２２ｋを封止して構成されている。注入口２２ｋは、液晶を注入した後は紫外線硬化接着剤などで封止されるが、ガラス基板が切り欠かれて形成されている部位であるため、他の部位より強度が低い。
【００３８】
〔２−３．保持枠２３の構成〕
図６は、保持枠２３の構成を示す斜視図である。図７Ａは、保持枠２３の上面側の要部斜視図である。図７Ｂは、図７ＡにおけるＹ−Ｙ部分の要部断面図である。図７Ｃは、保持枠２３における底面側の要部斜視図である。
【００３９】
図６に示すように、収納部２３ａは、底部を有するとともに、底部の外縁の４方向を縦壁で包囲され、表示ユニット２２（図４参照）が収容可能な空間を備えている。縦壁は、収納部２３ａに収容される表示ユニット２２の上面に対向する上部壁２３ｘと、上部壁２３ｘに対向し表示ユニット２２の底面に対向する下部壁２３ｙと、表示ユニット２２の両側面に対向する一対の側部壁２３ｚとから構成されている。
【００４０】
上部壁２３ｘには、２個の位置決め片２３ｂ（第１の弾性片）と、３カ所の係合孔２３ｈとが形成されている。下部壁２３ｙには、弾性片２３ｃ（第２の弾性片）及び２３ｄと、３カ所の係合孔２３ｈとが形成されている。側部壁２３ｚには、開口部２３ｆと、係合孔２３ｈとが形成されている。
【００４１】
開口部２３ｆは、表示パネル２２に配されているフレキシブル基板２２ｅ（図５参照）を、保持枠２３内から引き出して配するためのものである。
【００４２】
位置決め片２３ｂは、保持枠２３が背面ユニット２１（図４参照）に設けられた係合孔２１ｂ（図９Ｃ参照）に挿入されて保持されている。
【００４３】
係合孔２３ｈは、上部壁２３ｘにおいて所定の間隔をあけて３個配され、表示ユニット２２に配されているダボ２２ｆのうち、表示ユニット２２の上部側に配されているダボ２２ｆと係合する。係合孔２３ｈとダボ２２ｆとが係合することで、表示ユニット２２を保持枠２３へ保持させることができる。
【００４４】
また、位置決め片２３ｂには、それぞれ突起２３ｑが形成されている。突起２３ｑは、保持枠２３を背面ユニット２１に保持させる際に、背面ユニット２１の内面に当接し、保持枠２３を背面ユニット２１に対して位置決めしている。本実施の形態では、突起２３ｑは、プレス成形によって形成されているが、他の工法にて形成してもよい。また、突起２３ｑの形状は、半球体で構成しているが、円錐など他の形状で構成してもよい。
【００４５】
図７Ｃに示すように、弾性片２３ｃには、突起２３ｋと孔部２３ｍと凹部２３ｎとが形成されている。また、弾性片２３ｄには、突起２３ｋと凹部２３ｐとが形成されている。
【００４６】
突起２３ｋは、保持枠２３を背面ユニット２１に保持させる際に、背面ユニット２１の内面に当接し、保持枠２３を背面ユニット２１に対して位置決めしている。本実施の形態では、突起２３ｋは、プレス成形によって形成されているが、他の工法にて形成してもよい。また、突起２３ｋの形状は、半球体で構成しているが、円錐など他の形状で構成してもよい。
【００４７】
孔部２３ｍは、保持枠２３を背面ユニット２１にネジで固定する際に、ネジが挿通される孔である。
【００４８】
凹部２３ｎ及び２３ｐは、それぞれ背面ユニット２１の内側に設けられた突起が嵌合し、保持枠２３を背面ユニット２１に対して位置決めしている。
【００４９】
〔２−４．背面ユニット２１の構成〕
図９Ａは、背面ユニット２１の平面図であり、内側の構造を示している。図９Ｂは、図９ＡにおけるＸ−Ｘ部分の断面図である。図９Ｃは、図９Ａにおける矢印Ｂ方向から見た平面図であり、撮像装置１の上面側から見た図である。図９Ｄは、図９Ａにおける矢印Ｃ方向から見た平面図であり、撮像装置１の底面側から見た図である。
【００５０】
図９Ａにおいて、背面ユニット２１は、内面に表示ユニット２２などを配置可能な凹部が形成されている。その凹部の底面には開口部２１ａが形成されている。また、開口部２１ａの周囲には、表示ユニット２２が凹部内に収納された際に、弾性材２２ｂが当接する当接面２１ｅが配されている。また、凹部の周囲は、上部壁２１ｘと、下部壁２１ｙと、一対の側部壁２１ｚに囲まれている。また、開口部２１ａを外側から覆うように透明板２１ｄ（図９Ｂ参照）が固定されている。透明板２１ｄは、アクリル板などで構成され、表示ユニット２２の表示エリア２２ａを傷や衝撃などから保護するために配されている。
【００５１】
また、凹部の横には、カーソルキー８及びボタン９を背面ユニット２１の表面側へ露出して配置させるための開口部２１ｐと、ボタン１０を背面ユニット２１の表面側へ露出して配置させるための開口部２１ｑとが形成されている。
【００５２】
図９Ａ及び図９Ｃに示すように、上部壁２１ｘには、２個の係合孔２１ｂが形成されている。それぞれの係合孔２１ｂには、保持枠２３の位置決め片２３ｂが係合される。また、係合孔２１ｂの内部には、突起２１ｆが形成されている。突起２１ｆは、位置決め片２３ｂが係合孔２１ｂに係合された際に、位置決め片２３ｂの表面に当接して、位置決めを行っている。これにより、保持枠２３の上部を、背面パネル２１の上部に対して位置決めすることができる。
【００５３】
図９Ｂ及び図９Ｄに示すように、下部壁２１ｙには、リブ２１ｇ及び２１ｈが形成されている。リブ２１ｇには、突起２１ｃと、孔部２１ｍが形成されている。また、リブ２１ｈには、突起２１ｋが形成されている。
【００５４】
突起２１ｃは、保持枠２３の弾性片２３ｃに形成されている凹部２３ｎに嵌合可能に構成されている。突起２１ｋは、弾性片２３ｄに形成されている凹部２３ｐに嵌合可能に構成されている。突起２１ｃが凹部２３ｎに嵌合され、突起２１ｋが凹部２３ｐに嵌合されることで、保持枠２３の下部を背面ユニット２１に対して位置決めすることができる。
【００５５】
孔部２１ｍは、背面ユニット２１がネジで固定される際に、ネジが挿通される孔である。
【００５６】
〔２−５．前面ユニット２４の構成〕
図１０Ａは、前面ユニット２４の構成を示す斜視図である。図１０Ｂは、前面ユニット２４の構成を示す平面図である。図１０Ｃは、前面ユニット２４を底面側から見た図であり、内部構造を模式的に示している。図１０Ｄは、ネジ３０近傍の要部断面図である。図１０Ａにおいて、図４を参照して既に説明した構成については、説明を省略する。図１０Ｂにおいて、説明に不要な構成については描画を省略した。図１０Ｃにおいて、前面ユニット２４内に配されている各構成を明確に区別して描画するために、領域ハッチングを付している。
【００５７】
図１０Ａ〜図１０Ｃに示すように、前面ユニット２４は、カメラユニット２５、電気回路ユニット２６、保護板２８、突起２９、およびネジ３０を備えている。
【００５８】
保護板２８は、板金などの導電材で形成されている。保護板２８は、カメラユニット２５のレンズフレーム２５ａ（図１０Ｄ参照）の表面に、ネジ３０によって固定されている。保護板２８は、レンズフレーム２５ａの表面のほぼ全域を覆うことができる大きさを有している。保護板２８は、プリント基板２６ａに併設するように配されている。図１０Ｃに示すように、保護板２８の主面（表示パネル２２に対向する面）と、プリント基板２６ａの主面（表示パネル２２に対向する面）とは、その高さが異なっており、保護板２８の主面がより表示パネル２２側に配されている。本実施の形態では、保護板２８の主面と、表示ユニット２２を保持している保持枠２３の裏面とは、微小隙間を介して対向している。また、保護板２８は、３カ所に凹部２８ａが形成され、各凹部２８ａ内にネジ３０を挿通可能な孔部２８ｂが形成されている。なお、凹部２８ａの深さは、少なくともネジ３０を締結した際に、ネジ３０の頂部が保護板２８の主面より凸とならないように形成されている。また、保護板２８は、プリント基板２６ａ側の端部に凹部２８ｃが形成され、その凹部２８ｃ内にネジ３０ａを挿通可能な孔部２８ｄが形成されている。孔部２８ｄの下方には、バッテリー装着部２６ｂに形成されているネジ孔が配されている。したがって、ネジ３０ａは、孔部２８ｄを挿通して、バッテリー装着部２６ｂのネジ孔に螺合させることができる。
【００５９】
突起２９は、バッテリー装着部２６ｂの表面上に突設され、プリント基板２６ａに形成されている孔部を挿通して背面ユニット２４側に突出している。図１０Ｃに示すように、突起２９は、その頂部が保護板２８の主面に対してほぼ同一高さになるように形成されている。また、図１０Ｂに示すように、突起２９は、表示パネル２２を保持した背面ユニット２４を前面ユニット２１に装着した際に、表示パネル２２に形成されている注入口２２ｋに対向する位置あるいはその近傍に形成されている。これにより、表示パネル２２の注入口２２ｋ付近において、矢印Ｎに示す方向に外圧が加わった際に、注入口２２ｋ付近の部位が突起２９の頂部に当接し、表示パネル２２の変形を抑えることができる。なお、図１０に示す突起２９の形成位置は一例であり、少なくとも表示パネル２２の注入口２２ｋに対向する位置、または強度が不足している他の位置に形成されていてもよい。
【００６０】
図１０Ｄに示すレンズフレーム２５ａは、カメラユニット２５の一部の構成要素であり、撮像素子、レンズを保持する枠などを保持する部材である。レンズフレーム２５ａは、略平板状に形成され、その表面の略中央に撮像素子が保持されている。また、前記表面には、略円筒形状の固定枠、その固定枠の内側には対物レンズなどのレンズを保持し光軸方向へ移動可能な移動枠などが保持されている。また、レンズフレーム２５ａの裏面（表示パネル２２に対向する側の面）には、レンズを移動させるアクチュエータや撮像素子などの電気素子とプリント基板２６ａに実装されている信号処理マイコンとを電気的に接続するフレキシブルプリント基板、撮像素子を不要輻射から保護する板金、板金をレンズフレーム２５ａに固定するネジなどが配されており、多数の凹凸がある。
【００６１】
ネジ３０は、保護板２８の孔部２８ｂと、レンズフレーム２５ａの孔部２５ｂとを挿通し、フレーム３１のネジ孔３１ａに螺合されている。これにより、保護板２８とレンズフレーム２５ａとをフレーム３１に保持することができる。本実施の形態では、ネジ３０の頭部とレンズフレーム２５ａとの間に保護板２８が配されるとともに、レンズフレーム２５ａの孔部２５ｂの内径および保護板２８に形成されている孔部の内径は、ネジ３０の雄ネジ部の外径よりも十分に大きく形成されているため、ネジ３０による締結時に、その締め付けトルクがレンズフレーム２５ａに直接伝わらないように構成されている。
【００６２】
また、ネジ３０ａは、保護板２８に形成されている孔部２８ｄを挿通し、バッテリー装着部２６ｂに形成されているネジ孔（不図示）に螺合される。ネジ３０ａ、保護板２８、バッテリー装着部２６ｂはそれぞれ金属製であるため、保護板２８をネジ３０ａとバッテリー装着部２６ｂとを介して、撮像装置１の筐体へ電気的に接地することができる。よって、撮像素子に対する不要輻射を防ぐことができたり、保護板２８が帯びた静電気を外部へ逃がしたりすることができる。
【００６３】
なお、レンズフレーム２５ａは、前述したように撮像素子やレンズなどの光学部品を保持しているため、高い位置精度が要求される。したがって、ネジ３０による締結固定時に、締め付けトルクが直接レンズフレーム２５ａに伝わってしまうと、レンズフレーム２５ａが歪んでしまい、光学的な位置精度が低下してしまうという問題が生じる。そこで、本実施の形態のように、ネジ３０の頭部とレンズフレーム２５ａとの間に保護板２８を配するとともに、孔部２５ｂ及び２８ｂの内径をネジ３０の雄ネジの外径よりも十分に大きくしたことで、ネジ３０による締結時に、その締め付けトルクがレンズフレーム２５ａに直接伝わらないようにすることができ、レンズフレーム２５ａの歪みを防止することができる。
【００６４】
上記のように構成された前面ユニット２４に、表示パネル２２が保持された背面ユニット２１を装着すると、表示パネル２２は図１０Ｂ及び図１０Ｃに示す位置に配置される。すなわち、表示パネル２２は、投影面上で保護板２８とプリント基板２６ａとに重なるように配置される。また、表示パネル２２の注入口２２ｋが、突起２９に重なるように配置される。
【００６５】
このように配置された表示パネル２２に対して、図１０Ｃの矢印Ｍに示す位置（表示パネル２２の表示エリア２２ａ内）及び同方向に外圧が加わる時に表示パネル２２の裏面が保護板２８の表面に当接して、それ以上の表示パネル２２の変形を防止することができる。
【００６６】
また、表示パネル２２に対して、図１０Ｃの矢印Ｎに示す位置（注入口２２ｋが形成されている位置）及び同方向に外圧が加わると、表示パネル２２の縁部は矢印Ｎに示す方向に変形する。しかし、僅かに変形した時に表示パネル２２の注入口２２ｋの裏面が突起２９の表面に当接して、それ以上の表示パネル２２の変形を防止することができる。
【００６７】
なお、保護板２８は、表示パネル２２の変形を防止するために設けられているため、図１０Ｂに示すアングルで見た時に表示パネル２２と同じ面積かそれ以上の面積で形成されていることが好ましい。しかし、近年の撮像装置は、装置本体の小型化、表示パネル２２の大画面化、撮像装置の多機能化に伴うプリント基板２６ａに実装されるマイコンチップの大型化が進み、保護板２８を大きくすることができない。例えば、保護板２８の一部をプリント基板２６ａにオーバーラップさせるように、保護板２８を大型化する構成が考えられるが、装置本体が厚くなってしまう。
【００６８】
そこで、本実施の形態では、プリント基板２６ａの領域内において突起２９を突設することにより、限られたスペースに保護板２８を備えて表示パネル２２の変形を防止しながら、保護板２８が配されていない部分に外圧が加わった際に表示パネル２２が大きく変形することを防止している。
【００６９】
特に、表示パネル２２において、注入口２２ｋの近傍は、接着剤で封止されているとはいえ、ガラス基板が切り欠かれている部分であるため外圧に対する耐性が低い。よって、図１０Ｃの矢印Ｎに示す方向に外圧が加わった際に、表示パネル２２が矢印Ｎに示す方向へ変形しやすい。そこで本実施の形態では、注入口２２ｋに対応する位置に突起２９を形成したことにより、矢印Ｎに示す位置及び方向に外圧が加わった際に表示パネル２２が大きく変形するのを防いでいる。
【００７０】
〔３．撮像装置の組立方法〕
本実施の形態の撮像装置は、図４に示すように組み立てられる。まず、表示ユニット２２を矢印Ｂに示すように、保持枠２３内に装着する。次に、矢印Ａに示すように、背面ユニット２１を保持枠２３に装着する。次に、矢印Ｃに示すように、表示ユニット２２及び保持枠２３が装着された背面ユニット２１を、前面ユニット２４に装着する。これにより、撮像装置１が完成する。以下、各ユニットの組み付け動作について、詳しく説明する。
【００７１】
〔３−１．表示ユニット２２を保持枠２３との装着方法〕
表示ユニット２２を保持枠２３に装着する際は、図５Ａに示すように表示ユニット２２に形成されているダボ２２ｆを、図６に示す保持枠２３に形成されている係合孔２３ｈに係合させて、表示ユニット２２を収納部２３ａに収納させる。
【００７２】
この時、表示ユニット２２に配されているフレキシブル基板２２ｅが、開口部２３ｆから保持枠２３外へ引き出すことが可能なように配置される。
【００７３】
図８は、表示ユニット２２と保持枠２３とが結合された状態を示す。
【００７４】
〔３−２．背面ユニット２１と保持枠２３との装着方法〕
図８に示す表示ユニット２２が装着された保持枠２３を、背面ユニット２１に装着する場合は、図１１〜図１３に示す手順にて装着する。図１１は図９ＡにおけるＸ−Ｘ部の断面であり、図１２及び図１３は図９ＡにおけるＶ−Ｖ部の断面である。
【００７５】
まず、図１１に示すように、保持枠２３を矢印Ｅ方向へ移動させて、保持枠２３の上部に形成されている位置決め片２３ｂを、背面ユニット２１に形成されている係合孔２１ｂに係合させる。この時、位置決め片２３ｂは、係合孔２１ｂの内部に形成されている突起２１ｆによって支持されて、係合孔２１ｂに保持される。
【００７６】
次に、図１２に示すように、保持枠２３を矢印Ｆ方向へ移動させて、保持枠２３の下部を背面ユニット２１内に収納する。この時、図７Ｃに示すように、弾性片２３ｃ及び２３ｄに形成されている突起２３ｋが、弾性片２３ｃを弾性変形させながら、それぞれ背面ユニット２１の内面に当接する。また、背面ユニット２１のリブ２１ｇに形成されている突起２１ｃが、保持枠２３に形成されている凹部２３ｎに係合される。また、リブ２１ｈに形成されている突起２１ｋが、凹部２３ｐに係合される。
【００７７】
これにより、図１３に示すように、保持枠２３を背面ユニット２１の内面に装着（仮固定）することができる。なお、図１４に、保持枠２３を背面ユニット２１の内面に装着（仮固定）した状態の斜視図を示す。
【００７８】
また、図１３に示す状態において、弾性片２３ｃは弾性変形を伴って突起２１ｃに係合しているため、保持枠２３を背面ユニット２１にガタツキを抑えて装着することができる。また、突起２１ｃと凹部２３ｎとが嵌合しているため、保持枠２３を背面ユニット２１に対して位置決めすることができる。
【００７９】
〔３−３．背面ユニット２１と前面ユニット２４との装着方法〕
まず、カメラユニット２５及び電気回路ユニット２６が保持されているフレーム（不図示）に、上面カバー４１を装着する。次に、フレームに前面カバー４２（図１参照）を装着する、これにより、図１５に示す前面ユニット２４が完成する。なお、図１５に示す前面ユニット２４には、便宜上、側面カバー４４が装着されているように描画しているが、実際には背面ユニット２１が前面ユニット２４に装着された後に側面カバー４４が装着される（詳しくは後述する）。
【００８０】
次に、図１５に示すように、背面ユニット２１を、矢印Ｇに示すように前面ユニット２４に装着する。この時、図１０を参照して前述したように、表示パネル２２の裏面が微小隙間を挟んで保護板２８に対向配置される。また、表示パネル２２の裏面の一部がプリント基板２６ａに対向配置される。また、表示パネルの注入口２２ｋの近傍が、微小隙間を挟んで突起２９に対向配置される。
【００８１】
次に、側面カバー４４を撮像装置の両側面に装着する。なお、側面カバー４４は、撮像装置の側面とともに、底面の一部を覆うように配される。
【００８２】
次に、側面カバー４４に形成されている孔部にネジ４５を挿通させ、前面ユニット４に締結させる。この時、ネジ４５によって、上面カバー４１、背面ユニット２１、および側面カバー４４が前面ユニット２４に共締め固定される。
【００８３】
また、撮像装置の底面側からネジ４６（図１４参照）を締結させる。つまり、前面ユニット２４の底面には雌ネジ（不図示）が形成されており、この雌ネジにネジ４６を螺合させる。この時、図１４に示すように、ネジ４６は、背面ユニット２１及び保持枠２３の開口部を挿通して前面ユニット２４に螺合されるため、背面ユニット２１と保持枠２３とは前面ユニット２４に共締め固定される。
【００８４】
この時、背面ユニット２１の上面に形成されている係合孔２１ｂや、係合孔２１ｂに係合している位置決め片２３ｂは、上面カバー４１によって覆われるため、外部から目視できない状態になる。
【００８５】
〔４．実施の形態の効果、他〕
本実施の形態によれば、撮像部２５のレンズフレーム２５ａの表面に、平板状の保護板２８を配したことにより、表示パネル２２に対して外圧（例えば、図１０Ｃの矢印Ｍに示す位置及び方向）が加わった際に、表示パネル２２の変形を抑えることができ、表示パネル２２の破損を防止することができる。
【００８６】
本実施の形態では、平板状の保護板２８を用いたことで、表示パネル２２の表示エリア２２ａ内のいずれの箇所に外圧が加わっても、表示パネル２２の変形を抑えることができ、表示パネル２２の破損を防止することができる。
【００８７】
また、突起２９を備えたことにより、表示パネル２２におけるプリント基板２６ａに重なる部分に外圧（例えば、図１０Ｃの矢印Ｎに示す位置及び方向）が加わった際に、表示パネル２２の変形を抑えることができ、表示パネル２２の破損を防止することができる。
【００８８】
また、突起２９を表示パネル２２の注入口２２ｋに重なる位置に配したことにより、注入口２２ｋが形成され強度が低下している部分に外圧が加わった際に、表示パネル２２の変形を抑えることができ、表示パネル２２の破損を防止することができる。
【００８９】
また、突起２９をプリント基板２６ａ上に配したことにより、表示パネル２２に外圧（例えば、図１０Ｃの矢印Ｎに示す位置及び方向）が加わった際に、プリント基板２６ａの変形を防止することができる。すなわち、突起２９が形成されていない場合、外圧よって変形した表示パネル２２は、プリント基板２６ａを押圧し、プリント基板２６ａが変形してしまい、プリント基板２６ａ上に実装されている電気素子の半田付け部分が剥離してしまう可能性があるという問題がある。特に、近年の撮像装置は、信号処理回路がマイコンチップによって構成されていることが多く、再度半田付けするのに非常に手間がかかる。また、マイコンが、高集積化のためにＢＧＡ（Ball Grid Array）実装されている場合は、半田付け部分がマイコンとプリント基板との間にあるため、半田付け部分が剥離しているか否かを目視で確認するのは非常に困難である。これに対して本実施の形態では、プリント基板２９上に突起２９を突設したことにより、表示パネル２２が外圧によって変形した際に、表示パネル２２がプリント基板２６ａに当接するのを防ぐことができ、プリント基板２６ａが変形するのを防止することができる。よって、プリント基板２６ａに実装されているマイコンチップなどの各種電気素子の半田が剥離してしまうのを防止することができる。
【００９０】
また、突起２９を備えたことにより、表示パネル２２においてプリント基板２６ａに対向する部分の変形を抑えることができるので、保護板２８を小さくし、プリント基板２６ａの実装面積を広くすることができる。よって、多機能化に伴ってマイコンチップが大型化したり、マイコンチップの数が増えたりしても、撮像装置を大型化せずに済む。
【００９１】
また、保護板２８と金属製のバッテリー装着部２６ｂとをネジで締結し、バッテリー装着部２６ｂと金属製の側面カバー４４とをネジで締結したことにより、保護板２８をバッテリー装着部２６ｂ及び側面カバー４４を介して接地することができ、不要輻射や静電気の帯電を防止することができる。
【００９２】
また、保護板２８を備えるとともに、レンズフレーム２５ａの孔部２５ｂの内径、および保持板２８の孔部２８ｂの孔部の内径を、ネジ３０の雄ネジ部の外径よりも十分に大きくしたことにより、レンズフレーム２５ａ（レンズユニット）をフレーム３１にネジ３０で締結固定する際、ネジ３０の締め付けトルクがレンズフレーム２５ａ（レンズユニット）へ直接伝わらないように構成することができる。よって、レンズフレーム２５ａを歪みなくフレーム３１へ固定することができる。
【００９３】
また、レンズフレーム２５ａの表面に配されているフレキシブルプリント基板（配線部材）が、表示ユニット２２の裏面に当たらないようにすることができ、表示ユニット２２の表示エリア２２ａに表示される画像に表示ムラが生じることを防止することができる。
【００９４】
なお、本実施の形態の電子機器は、撮像装置を一例に挙げて説明したが、少なくとも液晶表示パネルなどの表示素子を搭載した電子機器であればよい。例えば、デジタルスチルカメラなどの撮像装置の他、携帯電話機、ＰＤＡ（Personal Digital Asistant）、パームサイズのゲーム機などがある。
【００９５】
また、図６に示す位置決め片２３ｂや弾性片２３ｃなどのように、上部壁２３ｘや下部壁２３ｙに対して折り曲げて形成される構成（折り曲げ部）を、上部壁２３ｘ、下部壁２３ｙ、および一対の側部壁２３ｚの全域に渡って形成することにより、上部壁２３ｘ、下部壁２３ｙ、および一対の側部壁２３ｚの強度を向上させることができる。特に、表示パネル２２の表示エリア２２ａに対して垂直方向に加わる外圧に対して、強度を向上させることができる。また、上記折り曲げ部を上部壁２３ｘ、下部壁２３ｙ、および一対の側部壁２３ｚの全域ではなく、少なくとも表示パネル２２の注入口２２ｋ近傍に形成することで、強度が低い注入口２２ｋの近傍に外圧が加わったとしても、表示パネル２２の変形を防止することができる。
【００９６】
また、保護板２８は、３カ所においてネジ３０で固定される構成としたが、固定箇所の数は任意である。レンズフレーム２５ａとフレーム３１との固定における、固定箇所の数に依存する。
【００９７】
また、突起２９は、図１０Ａ及び図１０Ｂに示す位置に限らず、少なくとも表示パネル２２の注入口２２ｋに対応する位置に配されていることで、同様の効果を得ることができる。
【００９８】
また、表示パネル２２は、液晶ディスプレイパネルに限らず、有機ＥＬディスプレイパネルやプラズマディスプレイパネルなどの表示素子で構成されていてもよい。表示パネル２２が有機ＥＬディスプレイパネルやプラズマディスプレイパネルで構成されている場合は、液晶ディスプレイパネルのように液晶注入口が形成されていないため、突起２９は、少なくとも表示素子の一部に当接し、外圧に対して表示素子の変形を抑えることが可能であれば、任意の位置に形成することができる。
【００９９】
本発明の電子機器は、表示素子を備えた機器に有用である。また、本発明の電子機器は、表示素子を備えた撮像装置に有用である。
【０１００】
〔付記１〕
本発明の電子機器は、表示パネルを備えた電子機器であって、前記表示パネルの表示面の反対面に対向し、前記表示パネルの表示面の反対面に対して略平行な保護板を備えたものである。
【０１０１】
このような構成により、表示素子に外部から押圧力が加わった際に、表示素子の変形を抑えることができ、外圧に対する強度を向上させることができる。
【０１０２】
なお、表示ユニット２２は、表示パネルの一例である。電気回路ユニット２６は、電気回路基板の一例である。保護板２８は、保護板の一例である。
【０１０３】
〔付記２〕
本発明の電子機器は、前記表示パネルの表示面の反対面に対向する支持部を、さらに備え、前記保護板は、前記表示パネルよりも小さく、前記支持部の先端は、前記保護板と略同一面内に配されている構成とすることができる。
【０１０４】
この構成により、保護板の大きさが表示パネルに対して小さい時でも、支持部が表示パネルの一部を支持して、外圧による変形を抑えることができる。
【０１０５】
なお、突起２９は、支持部の一例である。
【０１０６】
〔付記３〕
本発明の電子機器は、前記表示パネルの表示面の反対面に対向する電気回路基板を、さらに備え、前記支持部は、前記電気回路基板側から前記表示パネル側へ突出して配されている構成とすることができる。
【０１０７】
この構成により、表示パネルが外圧によって変形したとしても、支持部が表示パネルの変形を抑えることができる。よって、電気回路基板の変形を防止することができ、電気回路基板に実装されている電子部品の断線や破損を防止することができる。
【０１０８】
〔付記４〕
本発明の電子機器において、前記表示パネルは、液晶表示パネルで構成され、前記支持部は、前記液晶表示パネルの液晶注入口に対向する部位の近傍に配されている構成とすることができる。
【０１０９】
この構成により、他の部位に比べて強度が低い液晶注入口近傍に外圧が加わった際に、表示パネルの変形を抑え、破損を防止することができる。
【０１１０】
〔付記５〕
本発明の電子機器において、前記保護板は、導電材で形成され、導電材で形成されたネジによって、導電材で形成された筐体に締結固定されている構成とすることができる。
【０１１１】
この構成によって、保護板を筐体に対して電気的に接地することができ、撮像部における不要輻射性能を向上させることができるとともに、保護板における静電気の帯電を防ぐことができる。
【０１１２】
〔付記６〕
また、本発明の撮像装置は、撮像部と表示パネルとを備えた撮像装置であって、前記撮像部と前記表示パネルとの間に配され、前記表示パネルの表示面の反対面に対向し、前記表示パネルの表示面の反対面と略平行な保護板を備えたものである。
【０１１３】
このような構成により、撮像装置を組み立てる際、レンズを締結するネジの回転トルクがレンズフレームに伝わりにくいため、レンズに歪みを与えない。また、レンズの配線部材が表示パネルの裏面に当たらないようにすることができるので、表示パネルの表示にムラが生じることを防止することができる。
【０１１４】
なお、カメラユニット２５は、撮像部の一例である。表示ユニット２２は、表示パネルの一例である。保護板２８は、保護板の一例である。
【０１１５】
〔付記７〕
本発明の撮像装置は、前記撮像部と前記保護板とをネジによって締結固定するフレームをさらに備え、前記撮像部の前記ネジに対する孔部の内径と前記保護板の前記ネジに対する孔部の内径とは、前記ネジの雄ネジ部の外径よりも大きく形成されている構成とすることができる。
【０１１６】
この構成により、保護板及び撮像部をフレームにネジで締結固定する際、ネジの締め付けトルクを撮像部に直接伝えないようにすることができる。これにより、撮像部の歪みを防ぐことができ、撮像部における光学的な精度を維持することができる。また、レンズの配線部材が表示パネルの裏面に当たらないようにすることができ、表示パネルの表示ムラを防止することができる。
【０１１７】
なお、孔部２５ｂは、撮像部（カメラユニット２５）に形成された孔部の一例である。孔部２８ｂは、保護板（保護板２８）に形成された孔部の一例である。フレーム３１は、フレームの一例である。
【産業上の利用可能性】
【０１１８】
本発明の電子機器は、表示素子を備えた機器に有用である。
【図面の簡単な説明】
【０１１９】
【図１】実施の形態１の撮像装置の外観を示す斜視図
【図２】撮像装置の正面図
【図３】撮像装置の上面図
【図４】撮像装置の分解斜視図
【図５Ａ】表示ユニットの平面図
【図５Ｂ】表示ユニットの断面図
【図６】保持枠の斜視図
【図７Ａ】保持枠の上面側の要部斜視図
【図７Ｂ】保持枠の要部断面図
【図７Ｃ】保持枠の底面側の要部斜視図
【図８】保持枠に保持された表示ユニットの構成を示す斜視図
【図９Ａ】背面ユニットの内部構成を示す正面図
【図９Ｂ】図９ＡにおけるＸ−Ｘ部の断面図
【図９Ｃ】図９Ａにおける矢印Ｂ方向から見た平面図
【図９Ｄ】図９Ａにおける矢印Ｃ方向から見た平面図
【図１０Ａ】前面ユニットの構成を示す斜視図
【図１０Ｂ】前面ユニットの構成を示す平面図
【図１０Ｃ】前面ユニットの構成を示す側面図
【図１０Ｄ】前面ユニットにおけるネジ孔周辺の構成を示す断面図
【図１１】保持枠を背面ユニットに装着する動作を説明するための断面図
【図１２】保持枠を背面ユニットに装着する動作を説明するための断面図
【図１３】保持枠を背面ユニットに装着する動作を説明するための断面図
【図１４】保持枠及び表示ユニットが装着された背面ユニットの斜視図
【図１５】背面ユニットを前面ユニットに装着する動作を説明するための斜視図
【図１６】従来の撮像装置における背面ユニットを前面ユニットに装着する動作を説明するための斜視図
【符号の説明】
【０１２０】
２１  背面ユニット
２２  表示ユニット
２３  保持枠
２４  前面ユニット
２５  カメラユニット
２５ａ  レンズフレーム
２６  電源回路ユニット
２６ａ  プリント基板
２６ｂ  バッテリー装着部
２８  保護板
２８ａ  凹部
２８ｂ  孔部
２９  突起
【図１】
2008203829.tif 000003
【図２】
2008203829.tif 000004
【図３】
2008203829.tif 000005
【図４】
2008203829.tif 000006
【図５Ａ】
2008203829.tif 000007
【図５Ｂ】
2008203829.tif 000008
【図６】
2008203829.tif 000009
【図７Ａ】
2008203829.tif 000010
【図７Ｂ】
2008203829.tif 000011
【図７Ｃ】
2008203829.tif 000012
【図８】
2008203829.tif 000013
【図９Ａ】
2008203829.tif 000014
【図９Ｂ】
2008203829.tif 000015
【図９Ｃ】
2008203829.tif 000016
【図９Ｄ】
2008203829.tif 000017
【図１０Ａ】
2008203829.tif 000018
【図１０Ｂ】
2008203829.tif 000019
【図１０Ｃ】
2008203829.tif 000020
【図１０Ｄ】
2008203829.tif 000021
【図１１】
2008203829.tif 000022
【図１２】
2008203829.tif 000023
【図１３】
2008203829.tif 000024
【図１４】
2008203829.tif 000025
【図１５】
2008203829.tif 000026
【図１６】
2008203829.tif 000027